(57)【要約】      （修正有）【課題】衣服のベルト部へサイズ調節具を着脱自在に取付けることにより、ベルト部の長短を調節できるようにする。【解決手段】矩形板の表面側に、複数の掛止片を縦に並列設置すると共に、上縁部へ、衣服のベルト部へ装着する固定片を設け、矩形板の裏面へ、ベルト部へ固定された掛止片と掛止すべき鈎片を設けたサイズ調節具。【選択図】図１
0003121811.tif 000002
【実用新案登録請求の範囲】
【請求項１】
矩形板の表面側に、複数の掛止片を縦に並列設置すると共に、上縁部へ、衣服のベルト部へ装着する固定片を設け、前記矩形板の裏面へ、前記ベルト部へ固定された掛止片と掛止すべき鈎片を設けことを特徴とするサイズ調節具。
【請求項２】
複数の掛止片は、２個〜４個としたことを特徴とする請求項１記載のサイズ調節具。
【請求項３】
固定片は、１個〜３個としたことを特徴とする請求項１記載のサイズ調節具。
【請求項４】
掛止片、固定片及び鈎片はプレス成形することを特徴とした請求項１記載のサイズ調節具。
【考案の詳細な説明】
【技術分野】
【０００１】
この考案は、衣服のベルト部の長さを長短調節可能にする為に、固定された掛止片の外に、調節用の掛止片を着脱して、掛止片の数を多くすることを目的としたサイズ調節具に関する。
【背景技術】
【０００２】
従来衣服のベルト部の長短を微調節する為に、複数の掛止片を縫着したり、或いは鈎片の取付け位置を変更することは通常行われている。
【特許文献１】特許第２９０９４８６号
【特許文献２】特許第３０７６８９７号
【考案の開示】
【考案が解決しようとする課題】
【０００３】
従来衣服のベルト部へ複数の掛止片をつけたり、掛止片又は鈎片の固定位置を変えることによって、腹囲に合致した寸法の着衣を可能にしているが、このような場合には、掛止片１１又は鈎片１２を複数個縫着しなければならない問題点があった（図３）。
【０００４】
また体重の増減による腹囲の増減は、短期間に度々あることではないので、一度縫着すれば、暫らくそのままで支障がない。
【０００５】
然し乍ら、満腹時又は空腹時に腹囲長さの調節をしたい場合には、前記掛止片の取付け又は取外しができないので、常時必要以上の掛止片を常時固定しなければならない問題点があった。
【課題を解決するための手段】
【０００６】
然るにこの考案は、縫着することなく、掛止片を衣服のベルト部分へ着脱できるようにして、前記従来の問題点を解決したのである。既固定の掛止片が複数あれば、前記掛止片を具備したサイズ調節具を掛止固定する位置を任意に選定することができるので、複数の掛止片と、固定位置の自由度により、広範な範囲の調節ができることになった。
【０００７】
即ちこの考案は、矩形板の表面側に、複数の掛止片を縦に並列設置すると共に、上縁部へ、衣服のベルト部へ装着する固定片を設け、前記矩形板の裏面へ、前記ベルト部へ固定された掛止片と掛止すべき鈎片を設けことを特徴とするサイズ調節具であり、複数の掛止片は、２個〜４個としたものである。また、固定片は、１個〜３個としたものであり、掛止片、固定片及び鈎片はプレス成形するものである。
【０００８】
この考案のサイズ調節具は、衣服のベルト部へ縫着でなく、固定片による掛止であるから、容易確実に着脱できると共に、既縫着の掛止片と鈎片を利用するので、取付け、取外し自在であって、かつ取付け状態が確実であって、意に反して脱抜するおそれはない。
【０００９】
この考案のサイズ調節具の材質は、金属板のプレス加工又は合成樹脂の成形により製造される。前記金属板のプレス加工は、プレスによる打抜成形であり、合成樹脂（例えばナイロン、塩化ビニール、ポリプロピレン）は型による成形品である。金属板としては、ステンレス板又は薄鋼板にメッキを施して用いる。
【００１０】
前記薄金属板をプレス成形すれば、比較的少量（例えば１万個以下）でも比較的低廉に製造できる。然し乍ら十万個乃至数百万個のように多量になると、合成樹脂成型をした方が低廉となり、かつ生産効率が著しくよくなる。合成樹脂の場合には、メッキなどのような工程は不用となる。
【考案の効果】
【００１１】
この考案は、板体に掛止片と固定片とを設けたので、衣服のベルト部へ縫着することなく、衣服のベルト部へ容易に着脱できる効果がある。またこの考案によれば、サイズ調節具を臨時に着脱できるので、一時的に使用し、必要がなくなれば直ちに取外すことができる利点がある。
【考案を実施するための最良の形態】
【００１２】
この考案は、矩形状の金属薄板の表面側に、少なくとも２個の掛止片を所定間隔で縦に並列して打抜成形すると共に、衣服のベルト部へ縫着してある従来の掛止片と掛止できる鈎片を打抜成形する。また前記金属薄板の上縁部へ衣服のベルト部を掛止できる２個の固定片を設けてこの考案のサイズ調節具を得た。
【００１３】
前記金属薄板は、例えば鋼板へクロムメッキした材質とすることにより、発錆を未然に防止し、長く使用することができる。
【実施例１】
【００１４】
この考案の実施例を図面について説明すると、薄金属板よりなる矩形板１の表面側へ、４個の掛止片２、２を等間隔に打抜成形すると共に、前記矩形板１の中央部へ、衣服３のベルト部３ａへ固定してある掛止片４と掛止できる鈎片５を打抜成形する。また前記矩形板１の上縁には、衣服３のベルト部３ａの上縁部と掛止め固定できる固定片６、６を設けて、この考案のサイズ調節具１０を完成した。図中７は衣服に固定してある既存の鈎片である。
【００１５】
この考案のサイズ調節具１０は、衣服のベルト部３ａへ矢示８のように固定片６、６を掛止すると共に、鈎片５を衣服３のベルト部３ａに縫着してある掛止片４に掛止できるように矢示９のように移動して掛止すれば、サイズ調節具１０を容易に固定することができる。
【００１６】
前記のように、サイズ調節具１０の衣服ベルト部３ａへの装着は、縫着しなくて単に嵌挿掛止のみでよく、また矢示１１、１２のように移動すれば、容易に外すこともできるので、着脱容易となり、装着に時間もかからず気軽に着脱できる。
【００１７】
また図３（ｂ）、（ｃ）に示すサイズ調節具１５は、合成樹脂製の矩形板１３へ掛止片１４、鈎片１６、固定片１７を設けたものである。このサイズ調節具１５は、合成樹脂成型物であるから、打抜成型と異なり、型抜を容易にする為の形状の相違はあるが、原則的に、前記図１の実施例と同一であり、使用方法も同一であるから、詳細な説明は省略した。
【００１８】
この考案のサイズ調節具は、必要な時のみ調節し、不必要の時には外すことができると共に、小さいので携帯に便利である。
【００１９】
人の腹囲は急激に変化するものではないので、通常は既設の掛止片と鈎片で十分間に合うが、食事などによる一時的腹囲の変化、又は急に低温化して、下着を増加したり、厚手の下着を着用する場合などには、通常の調節では間に合わない場合がある。このような時に、この考案のサイズ調節具を利用すれば、直ぐにフィットして、着心地がよくなる効果がある。
【図面の簡単な説明】
【００２０】
【図１】（ａ）この考案の実施例の表面の拡大斜視図、（ｂ）同じく裏面の拡大斜視図。
【図２】（ａ）同じく断面拡大平面図、（ｂ）同じくベルト部へ装着した場合の一部断面した斜視図。
【図３】（ａ）同じくベルトへ装着した斜視図、（ｂ）同じく他の実施例の拡大斜視図、（ｃ）同じく拡大断面図。
【図４】（ａ）現在使用されている掛止片の拡大斜視図、（ｂ）同じく鈎片の拡大斜視図。
【符号の説明】
【００２１】
１  矩形板
２  掛止片
３  衣服
４  掛止片
５  鈎片
６  固定片
１０  サイズ調節具
【図１】
0003121811.tif 000003
【図２】
0003121811.tif 000004
【図３】
0003121811.tif 000005
【図４】
0003121811.tif 000006
【手続補正書】
【提出日】平成18年1月11日(2006.1.11)
【手続補正１】
【補正対象書類名】図面
【補正対象項目名】図１
【補正方法】変更
【補正の内容】
【図１】
0003121811.tif 000007
【手続補正２】
【補正対象書類名】図面
【補正対象項目名】図２
【補正方法】変更
【補正の内容】
【図２】
0003121811.tif 000008